(57)【特許請求の範囲】
【請求項１】
通信販売業者に発注した注文品を、注文者が指定する商品受渡しに都合のよい受取指定住所に最寄りの受取代理店で受け取ることを支援する通販商品店舗受渡システムであって、
全国の運送拠点に備えた配送管理端末から商品の運送履歴を収集して情報管理する運送業者の運送履歴管理サーバと、通信販売業者から注文者への注文品の受渡しを情報管理する運送業者の受渡管理サーバと、通信販売業者に備えた荷主サーバと、注文者のユーザ端末と、全国の受取代理店に備えたストア端末と、それら受取代理店の店舗情報を管理する店舗センタに備えた店舗管理サーバとをコンピュータネットワークで結び、
通信販売業者の前記荷主サーバは、
運送業者から通信販売業者ごとに予め割り振られた、商品の運送内容を識別する送り状番号を記憶した送り状番号データファイルと、
前記ユーザ端末から購入申込みの注文データが入力されると、受注案件別に、注文番号を割り付けると共に、前記送り状番号データファイルから送り状番号を読み出し、該送り状番号を注文番号に紐付けして割り付ける番号割付部と、
注文データが前記ユーザ端末から入力されるとき、前記受取指定住所は注文者が注文品を受け取るのに都合のよい所在地の住所であると注文画面に表示し、その注文画面に備える受取指定住所の入力ボックスに希望の受取指定住所の入力を促す受取指定住所入力案内部と、
その受取指定住所が入力されると、当該受取指定住所を、注文番号で識別して受注案件別の受注ファイルに登録する一方、運送業者の前記受渡管理サーバへデータ移送する住所登録移送部とを備え、
運送業者の前記受渡管理サーバは、
受取代理店の、店舗名・住所・近郊エリアの市町村地図データを含む店舗情報を、店舗コードで識別して記憶した店舗マスタと、
前記ユーザ端末から受取指定住所を含む注文データの入力があると、前記荷主サーバの注文サイトとリンクして店舗検索画面を出力し、その店舗検索画面に前記注文サイトからデータ移送される受取指定住所を表示し、この受取指定住所を基準とした店舗検索の選択を促す店舗検索誘導部と、
店舗検索が選択されると、前記店舗マスタから、受取指定住所を検索キーに最寄りの受取代理店を検索して該当する受取代理店候補を割り出すと共に、該受取代理店候補の前記市町村地図データを伴う店舗情報を店舗コードを基に読み出し、それら受取代理店候補の中から、受取代理店の決定を促す受取店舗選定部とを備え、
前記運送履歴管理サーバは、
出荷元を出荷してから運送拠点を経て受取代理店への配達完了に至る注文品の運送履歴データを、送り状番号で識別して記憶する運送履歴データベースと、
前記ユーザ端末から送り状番号が入力されて運送履歴の照会を受けると、入力された送り状番号を基に、前記運送履歴データベースから該当する運送履歴データを読み出し、運送履歴回答画面に表示して前記ユーザ端末に回答する運送履歴通知部を備えてなることを特徴とする、通販商品店舗受渡システム。
【請求項２】
前記受渡管理サーバは、全国の、施設名ファイル・住所ファイル・駅名ファイル・郵便番号ファイル・住所一覧ファイル・地図ファイルを、受取代理店の検索条件を保存したデータファイルとして、随時更新可能に検索条件マスタに格納する一方、前記受取店舗選定部は、店舗検索が選択されると、出力した前記店舗検索画面において、施設名又は住所・駅名・郵便番号・住所一覧・地図の中から検索条件の指定を促し、検索条件が指定されると、その指定検索条件を基に前記検索条件マスタから受取指定住所に最寄りの受取代理店を検索可能に構成してなることを特徴とする、請求項１に記載の通販商品店舗受渡システム。
【請求項３】
前記荷主サーバは、前記運送履歴管理サーバから予め収受した、注文品の前記運送履歴データを送り状番号で識別して記憶する配送履歴マスタを備え、
前記ユーザ端末から送り状番号が入力されて運送履歴の照会を受けると、前記配送履歴マスタから、入力された送り状番号を基に該当する運送履歴データを読み出し、配送履歴回答画面に表示して前記ユーザ端末に回答する配送履歴回答部を備えてなることを特徴とする、請求項１又は２に記載の通販商品店舗受渡システム。
【請求項４】
前記荷主サーバは、前記ユーザ端末から送り状番号が入力されて運送履歴の照会を受けると、注文サイトから前記運送履歴管理サーバの運送履歴照会サイトにリンクさせて、前記運送履歴データベースから、入力された送り状番号を基に該当する運送履歴データを読み出し、輸送履歴回答画面に表示して前記ユーザ端末に回答する輸送履歴回答部を備えてなることを特徴とする、請求項１又は２に記載の通販商品店舗受渡システム。
【発明の詳細な説明】
【技術分野】
【０００１】
本発明は、通信販売業者に発注した注文品を、注文者が指定した自分に都合のよい受取指定住所に最寄りの受取代理店で受け取ることを支援する通販商品店舗受渡システムに関する。
【背景技術】
【０００２】
従来、通信販売業者（以下、通販業者と略称する。）に発注した注文品を、注文者の自宅ではなく、自宅に最寄りの受取代理店、例えばコンビニエンスストア（以下、コンビニと略称する。）に配達し、そのコンビニで受け渡すための通販商品店舗受渡システムは、例えば特許文献１に示すように、注文者の受取人端末と、運送業者の配送センタに備えた運送管理端末と、配送担当者が所持する携帯端末と、コンビニに備えた店舗端末とをコンピュータネットワークで結び、配送時に注文者が自宅に不在の場合に、配送担当者は、携帯端末で配送センタに問い合わせて、一定の受取人ＩＤ番号とパスワードを採番し、それら受取人ＩＤ番号とパスワードを連絡先電話番号と共に記入した不在時配送通知票を発行し、注文者の郵便受けに投函する一方、注文者は、不在時配送通知票に基づいて、受取人端末から運送管理端末のウェブサイトにアクセスし、再送指定日時および最寄りのコンビニを指定すれば、そのコンビニまで注文品の配達を受け、指定日時に近くのコンビニで注文品を受け取れるようになっている。
【特許文献１】特開２００２−１５７３１２号公報
【特許文献２】特開２００２−３０８４４１号公報
【発明の開示】
【発明が解決しようとする課題】
【０００３】
ところが、従来の通販商品店舗受渡システムは、上述のように不在時配送通知票の発行を受けて初めて、自宅以外の最寄りのコンビニなど受取代理店で注文品を受け取ることができ、つまり、配達時に注文者が不在である場合に限って適用されることになっている。従って、従来の通販商品の店舗受渡システムでは、特に不在地住所に最寄りの受取代理店でないと、注文品は受け取れず、不在ではないが、注文者の生活の都合上、例えば勤務先や別荘地など、注文者の居所に最寄りの受取代理店で受け取ったり、例えば友人宅や親類縁者宅や出張先など、一時的な滞在地に最寄りの受取代理店で受け取ったりすることができず、これでは、注文者が、日常生活の上で、自分に都合のよい所在地に最寄りの受取代理店で自由に注文品を受け取りたいという、宅配ニーズには応えることができないという課題があった。
【０００４】
そこで、本発明の目的は、注文者の不在如何に関係なく、注文者に都合のよい所在地に最寄りの、注文者が指定する受取代理店で注文品の受け渡しを実現することにある。
【課題を解決するための手段】
【０００５】
そこで、上述した課題を解決すべく、請求項１に記載の発明は、たとえば以下に示す図示実施の形態のとおり、通信販売業者Ｘに発注した注文品を、注文者Ｙが指定する商品受渡しに都合のよい受取指定住所Ａに最寄りの、コンビニＣのような受取代理店で受け取ることを支援する通販商品店舗受渡システムであって、全国の運送拠点に備えた配送管理端末４…から商品の運送履歴を収集して情報管理する運送業者Ｎの運送履歴管理サーバ５と、通信販売業者Ｘから注文者Ｙへの注文品の受渡しを情報管理する運送業者Ｎの受渡管理サーバ３と、通信販売業者Ｘに備えた荷主サーバ１と、注文者Ｙのユーザ端末２…と、全国の受取代理店に備えたストア端末７と、それら受取代理店の店舗情報を管理する店舗センタＳに備えた店舗管理サーバ６とをコンピュータネットワークで結び、通信販売業者Ｘの前記荷主サーバ１は、運送業者Ｎから通信販売業者Ｘごとに予め割り振られた、商品の運送内容を識別する送り状番号を記憶した送り状番号データファイル１２と、前記ユーザ端末２から購入申込みの注文データが入力されると、受注案件別に注文番号を割り付けると共に、前記送り状番号データファイル１２から送り状番号を読み出し、該送り状番号を注文番号に紐付けして割り付ける番号割付部１４と、前記注文データが前記ユーザ端末２から入力されるとき、前記受取指定住所Ａは注文者が注文品を受け取るのに都合のよい所在地の住所であると注文画面に表示し、その注文画面に備える受取指定住所Ａの入力ボックス４０ａに希望の受取指定住所Ａの入力を促す受取指定住所入力案内部と、その受取指定住所Ａが入力されると、当該受取指定住所を、注文番号で識別して受注案件別の受注ファイル１３に登録する一方、運送業者Ｎの前記受渡管理サーバ３へデータ移送する住所登録移送部１５とを備え、運送業者Ｎの前記受渡管理サーバ３は、受取代理店の、店舗名・住所・近郊エリアの市町村地図データを含む店舗情報を、店舗コードで識別して記憶した店舗マスタ２５と、前記ユーザ端末２から受取指定住所Ａを含む注文データの入力があると、前記荷主サーバ１の注文サイトとリンクして店舗検索画面４５を出力し、その店舗検索画面４５に前記注文サイトからデータ移送される受取指定住所Ａを表示し、この受取指定住所Ａを基準とした店舗検索の選択を促す店舗検索誘導部２９と、店舗検索が選択されると、前記店舗マスタ２５から、受取指定住所Ａを検索キーに最寄りの受取代理店を検索して該当する受取代理店候補を割り出すと共に、該受取代理店候補の前記市町村地図データを伴う店舗情報を店舗コードを基に読み出し、それら受取代理店候補の中から、受取代理店の決定を促す受取店舗選定部３０とを備え、前記運送履歴管理サーバ５は、出荷元を出荷してから運送拠点を経て受取代理店への配達完了に至る注文品の運送履歴データを、送り状番号で識別して記憶する運送履歴データベース３６と、前記ユーザ端末２から送り状番号が入力されて運送履歴の照会を受けると、入力された送り状番号を基に、前記運送履歴データベース３６から該当する運送履歴データを読み出し、運送履歴回答画面に表示して前記ユーザ端末２に回答する運送履歴通知部３７を備えてなることを特徴とする。
【０００６】
請求項２に記載の発明は、請求項１に記載の通販商品店舗受渡システムにおいて、たとえば以下に示す図示実施の形態のとおり、前記受渡管理サーバ３は、全国の、施設名ファイル・住所ファイル・駅名ファイル・郵便番号ファイル・住所一覧ファイル・地図ファイルを、受取代理店の検索条件を保存したデータファイルとして、随時更新可能に検索条件マスタ２６に格納する一方、前記受取店舗選定部３０は、店舗検索が選択されると、出力した店舗検索トップ画面５５のような前記店舗検索画面において、施設名又は住所・駅名・郵便番号・住所一覧・地図の中から検索条件の指定を促し、検索条件が指定されると、その指定検索条件を基に前記検索条件マスタ２６から受取指定住所Ａに最寄りの受取代理店を検索可能に構成してなることを特徴とする。
【０００７】
請求項３に記載の発明は、請求項１又は２に記載の通販商品店舗受渡システムにおいて、たとえば以下に示す図示実施の形態のとおり、前記荷主サーバ１は、前記運送履歴管理サーバ５から予め収受した、注文品の前記運送履歴データを送り状番号で識別して記憶する配送履歴マスタを備え、前記ユーザ端末２から送り状番号が入力されて運送履歴の照会を受けると、前記配送履歴マスタから、入力された送り状番号を基に該当する運送履歴データを読み出し、配送履歴回答画面に表示して前記ユーザ端末２に回答する配送履歴回答部を備えてなることを特徴とする。
【０００８】
請求項４に記載の発明は、請求項１又は２に記載の通販商品店舗受渡システムにおいて、たとえば以下に示す図示実施の形態のとおり、前記荷主サーバ１は、前記ユーザ端末２から送り状番号が入力されて運送履歴の照会を受けると、注文サイトから前記運送履歴管理サーバ５の運送履歴照会サイトにリンクさせて、前記運送履歴データベース３６から、入力された送り状番号を基に該当する運送履歴データを読み出し、輸送履歴回答画面に表示して前記ユーザ端末２に回答する輸送履歴回答部を備えてなることを特徴とする。
【発明の効果】
【０００９】
請求項１に記載の発明によれば、運送業者の受渡管理サーバは、通販業者の注文サイトにおいて、ユーザ端末から注文者に都合のよい注文品の受取指定住所を含む注文データが入力されると、注文サイトとリンクした店舗検索画面に、荷主サーバからデータ移送される受取指定住所を表示して受取指定住所を基準とした店舗検索を促し、店舗検索が選択されると、受取指定住所を検索キーに最寄りの受取代理店を検索し、該当する受取代理店候補を割り出し、その中から受取代理店の決定を促し、そこで、注文者は、希望する受取代理店を自由に決定すればよい構成とし、これによって、従来のように注文者の不在如何に関係なく、注文者に都合のよい、例えば勤務先や出張先などの所在地に最寄りの、注文者が指定する受取代理店で、自由な注文品の受け渡しを実現させることができる。
また、店舗検索処理時、ユーザ端末から入力される注文者の受取指定住所は、荷主サーバからデータ移送されて注文サイトとリンクした店舗検索画面に自動的に表示されるため、注文者は、検索条件の入力の手間と時間が省かれ、それだけ店舗検索の情報処理操作の使い勝手を良くすることができる。
更に、運送履歴管理サーバは、ユーザ端末から送り状番号が入力されて運送履歴の照会を受けると、運送履歴データベースから送り状番号を基に該当する運送履歴データを読み出し、運送履歴回答画面に表示して注文者に回答する構成とし、これによって、通信販売のユーザ側である注文者は、注文品の正確な運送履歴を、通販業者ではなく、専門の運送業者から直接に、しかも、簡単且つ迅速に取得することができる。
【００１０】
請求項２に記載の発明によれば、検索条件を、施設名又は住所・駅名・郵便番号・住所一覧・地図の中から、注文者の好みに応じて自由に選んで、注文者に都合のよい受取指定住所に最寄りの受取代理店を検索することができ、以って、検索条件の選択の余地が広がる点で、店舗検索の情報処理操作の使い勝手をより良くすることができる。
【００１１】
請求項３に記載の発明によれば、荷主サーバは、ユーザ端末から送り状番号が入力されて運送履歴の照会を受けると、配送履歴マスタから、入力された送り状番号を基に該当する運送履歴データを読み出し、配送履歴回答画面に表示して注文者に回答する構成とし、これによって、通販業者がユーザの注文者から注文品の運送履歴の照会を受けたとしても、専門の運送業者と同じように、適確に且つ迅速に回答することができる。
【００１２】
請求項４に記載の発明によれば、荷主サーバは、ユーザ端末から送り状番号が入力されて運送履歴の照会を受けると、注文サイトから運送履歴管理サーバの運送履歴照会サイトにリンクさせて、運送履歴データベースから、入力された送り状番号を基に該当する運送履歴データを読み出し、輸送履歴回答画面に表示して注文者に回答する構成とするため、通販業者は、注文者からの運送履歴の照会に応えるために、別途に運送履歴照会サイトを開設する必要がなく、それだけ全体のシステム構成を簡略化させることができる。
【発明を実施するための最良の形態】
【００１３】
以下、図面を参照しつつ、本発明の実施の形態について説明する。
【００１４】
図１は、本発明の一例である通販商品店舗受渡システムの全体システム構成と主要サーバの内部構成を示すブロック図である。本発明は、注文者Ｙの不在如何に関係なく、注文者に都合のよい所在地に最寄りの、注文者が指定する受取代理店、例えばコンビニＣで、通販業者Ｘに発注した注文品の受け渡しを受けることを実現した。受取代理店は、運送業者Ｎが通販業者Ｘの出荷元から集荷して配達する注文品を、注文者Ｙに代って預かって注文者Ｙに受け渡す店舗であればよく、通販業者Ｘと運送業者Ｎとの間の、例えば業務提携によって荷物受渡しの代理店に加盟した店舗であれば、コンビニ会社ＲのコンビニＣの他、スーパーマーケットやガソリンスタンド等であってもよい。図示店舗受渡システムでは、注文者Ｙが在宅か不在かに関わらず、そのような注文品の受渡しを注文者が指定するコンビニＣで行うための情報処理を実行する。
【００１５】
そのため、図示店舗受渡システムにおいて、通販業者Ｘに荷主サーバ１を備え、各荷主サーバ１は、インターネットで全国各地の注文者Ｙのユーザ端末２と接続する一方、専用通信回線で運送業者Ｎの受渡管理サーバ３に接続している。運送業者Ｎでは、それぞれ社内のイントラネットで、全国各地の集荷店・仕立店・継送店・配達店など、各運送拠点に備えた配送管理端末４…を、配送管理端末４から注文品の運送履歴を収集して情報管理する運送履歴管理サーバ５に接続し、運送履歴管理サーバ５に、通販業者Ｘから注文者Ｙへの注文品の受渡しを情報管理する受渡管理サーバ３を接続している。一方、受渡管理サーバ３は、専用通信回線を介してコンビニ会社Ｒの店舗センタＳに備えた店舗管理サーバ６に接続している。そして、コンビニ会社Ｒでは、店舗管理サーバ６に、社内のイントラネットで、全国各地のコンビニＣに備えたストア端末７…を接続し、以って、図示店舗受渡システムの全体を、コンピュータネットワークで結んで互いにデータ収受可能に構成してなる。
【００１６】
通販業者Ｘは、注文者Ｙから発注された、例えば書籍・ＤＶＤ・ＣＤ・ＰＣソフト等の通販商品をコンビニＣまで配送して注文者Ｙに受け渡す事業について、運送業者Ｎとコンビニ会社Ｒとの間で業務提携した全国各地に所在の通販会社である。通販業者Ｘに備えた荷主サーバ１は、ウェブサーバで、キーボード・マウス等のポインティングデバイスから成る入力装置、入力データのモニタに用いる表示装置、各種データを出力する出力装置、本システムが有する機能を実現させるプログラム８を格納したメモリ９、各種のデータベース・マスタ・ファイルを格納した記憶装置１０を、統括的に制御処理する制御装置１１に接続してなる。
【００１７】
記憶装置１０は、送り状番号データファイル１２と受注ファイル１３を格納している。送り状番号データファイル１２は、運送業者Ｎから、通販業者Ｘごとに所定多数の番号枠単位で予め割り振られた、商品の運送内容を識別する「送り状番号」を記憶している。受注ファイル１３は、注文者Ｙのユーザ端末２から入力される注文データ（マニフェストデータ）を、受注案件別に注文番号で識別して記憶している。注文データには、注文品の商品名・価格、注文者Ｙの氏名・自宅住所・郵便番号・電話番号等の他、注文者が指定した注文品の受渡しに都合のよい住所である「受取指定住所」が含まれる。
【００１８】
荷主サーバ１は、プログラム８として、番号割付部１４と住所登録移送部１５を備える。番号割付部１４は、ユーザ端末２から購入申込みの注文データが入力されると、受注案件別に注文番号を割り付けると共に、送り状番号データファイル１２から送り状番号を読み出し、該送り状番号を注文番号に紐付けして割り付けるようにプログラムされている。住所登録移送部１５は、注文データがユーザ端末２から入力されるとき、注文者Ｙに受取指定住所の入力を促し、その受取指定住所が入力されると、当該受取指定住所を注文番号で識別して受注案件別の受注ファイル１３に登録する一方、運送業者Ｎの受渡管理サーバ３へデータ移送するようにプログラムされている。
【００１９】
注文者Ｙに備えるユーザ端末２としては、インターネットを介して通販業者Ｘの荷主サーバ１や運送業者の受渡管理サーバ３に接続可能な環境にあるクライアント端末であれば足り、ＷＷＷプラウザ機能や電子メール機能を有するパーソナルコンピュータや携帯用移動通信端末等が用いられる。
【００２０】
コンビニ会社Ｒの店舗センタＳは、系列の全国コンビニＣ…の店舗情報を管理するコンビニ会社本部の中央情報処理局である。従って、店舗管理サーバ６は、コンビニＣの店舗名、住所、電話番号、営業時間、コンビニＣの店舗位置が地図上でどの地点（座標）であるかを示す（ｘ，ｙ）情報を含む店舗情報を、店舗コードで識別して記憶装置の店舗マスタに格納する。一方、店舗管理サーバ６は、毎日、定期的に全店舗分の店舗情報を店舗マスタから読み出し、伝送データとして運送業者Ｎの受渡管理サーバ３へ送信する。店舗情報には、加えて、サービス内容の他に、開店・休店・閉店情報などを含む。他方、各コンビニＣに備えたストア端末７は、社内のイントラネットを介して店舗センタＳの店舗管理サーバ６間で、注文品の受渡完了データ等をデータ収受可能な環境にあるパーソナルコンピュータ等のクライアント端末であれば足りる。
【００２１】
さて、運送業者Ｎの受渡管理サーバ３は、ウェブサーバで、キーボード・マウス等のポインティングデバイスから成る入力装置１７、入力データのモニタに用いる表示装置１８、各種データを出力する出力装置１９、各種のデータ・マスタ・ファイル・プログラム２０を格納したメモリ２１、各種のデータベース・マスタ・ファイルを格納した記憶装置２２を、統括的に制御処理する制御装置２３に接続してなる。
【００２２】
記憶装置２２は、店舗マスタ２５を格納している。店舗マスタ２５は、店舗センタＳの店舗管理サーバ７から予め収受したコンビニＣ単位の店舗情報を、店舗コードで識別して記憶している。店舗情報は、コンビニＣの店舗名、住所、電話番号、営業時間、近郊エリアの市町村地図データ、サービス内容の他に、開店・休店・閉店情報などを含む。近郊エリアの市町村地図データには、コンビニＣの店舗位置が地図上でどの地点（座標）であるかを示す（ｘ，ｙ）情報を含む。
【００２３】
更に、受渡管理サーバ３は、プログラム２０として、店舗検索誘導部２９と、受取店舗選定部３０とを備える。店舗検索誘導部２９は、ユーザ端末２から受取指定住所を含む注文データの入力があると、荷主サーバ１の注文サイトとリンクして店舗検索画面を出力し、その店舗検索画面に、注文サイトからデータ移送される受取指定住所を表示し、この受取指定住所を基準とした店舗検索を促すようにプログラムされている。
【００２４】
受取店舗選定部３０は、店舗検索が選択されると、店舗マスタ２５から、受取指定住所を検索キーとして最寄りのコンビニＣを検索して該当する受取代理店候補のコンビニＣ…を割り出すと共に、この受取コンビニ候補の店舗コードを基に、近郊エリアの市町村地図データを伴う詳細な店舗情報を読み出し、受取コンビニ候補の中から、受取代理店の受取コンビニＣの決定を促すようにプログラムされている。
【００２５】
運送業者Ｎの運送履歴管理サーバ５は、ウェブサーバで、キーボード・マウス等のポインティングデバイスから成る入力装置、入力データのモニタに用いる表示装置、各種データを出力する出力装置、各種のデータ・マスタ・ファイル・プログラム３２を格納したメモリ３３、各種のデータベース・マスタ・ファイルを格納した記憶装置３４を、統括的に制御処理する制御装置３５に接続してなる。
【００２６】
記憶装置３４には、運送履歴データベース３６を格納している。運送履歴データベース３６は、通販業者Ｘの出荷元を出荷してから運送拠点を経て受取コンビニＣへの配達完了に至る注文品の運送履歴データを、送り状番号で識別して記憶している。
【００２７】
更に、運送履歴管理サーバ５は、プログラム３２として運送履歴通知部３７を備える。運送履歴通知部３７は、ユーザ端末２から送り状番号が入力されて運送履歴の照会を受けると、運送履歴データベース３６から、入力された送り状番号を基に、該当する運送履歴データを読み出し、運送履歴回答画面に表示して注文者Ｙのユーザ端末２に回答するようにプログラムされている。
【００２８】
さて次に、上述した構成の図示店舗受渡システムの作用について、通販業者Ｘの荷主サーバ１と注文者Ｙのユーザ端末２と運送業者Ｎの受渡管理サーバ３の各制御装置の処理動作を中心に、図２に示す処理動作手順に従って、以下に説明する。
【００２９】
まず、通販業者Ｘにおいて、荷主サーバ１は、注文者Ｙがユーザ端末２を使って注文サイトにアクセスし、注文者Ｙから所望商品の購入申込みを受けると、制御装置１１は、注文データの入力を促す一方、ユーザ端末２から注文データが入力されると（Ｓ１）、図５に示す注文画面４０を表示し、入力ボックス４０ａ・４０ｂに「受取指定住所」Ａと「郵便番号」の入力を促す（Ｓ２）。ここで、注文者Ｙは、注文品を受け取るのに自分に都合のよい住所、例えば勤務地等の住所であってもよく、任意の住所を受取指定住所Ａとして入力する。次いで、注文画面４０では、受取指定住所Ａと郵便番号の入力後に、受取店舗検索ボタン４１を押して店舗検索ステップへの移行を促す。
【００３０】
そこで、荷主サーバ１では、受取指定住所Ａが入力されると（Ｓ３）、制御装置１１が住所登録移送部１５を動作し、受取指定住所Ａを、テキストファイル形式で運送業者Ｎの受渡管理サーバ３の店舗検索画面４５（図６参照）へデータ移送する（Ｓ４）。
【００３１】
他方、受渡管理サーバ３では、ユーザ端末２から受取指定住所Ａを含む注文データの入力があると、制御装置２３が店舗検索誘導部２９を動作し、荷主サーバ１の注文サイトとリンクさせて、店舗検索画面４５を出力し、その店舗検索画面４５の住所入力ボックス４５ａに、注文画面４０からデータ移送される受取指定住所Ａを自動的に表示する（Ｓ５）。そして、受取指定住所Ａを基準とした店舗検索、即ち、検索ボタン４６をクリックして受取指定住所Ａに最寄りの受取コンビニＣの検索の選択を促す（Ｓ６）。
【００３２】
次いで、受渡管理サーバ３では、店舗検索が選択されると（Ｓ７）、制御装置２３が受取店舗選定部３０を動作し、店舗マスタ２５から、受取指定住所Ａを検索キーとして最寄りの受取コンビニＣを検索し、該当する受取代理店候補のコンビニ候補を割り出す（Ｓ８）。図示例では、店舗マスタ２５から、受取指定住所Ａの市町村名までの住居表示（東京都港区東新橋）と、それと対応する郵便番号（1050021）を検索条件に検索して受取コンビニ候補を割り出し、図７に示すように、次の店舗検索画面４７に画面遷移させて、受取コンビニ候補の店舗名を２件リンク表示する。しかる後、いずれか一方の店舗名をクリックすると、図８に示すように、制御装置２３は、クリックされた店舗近郊の市町村地図４８を表示した地図検索画面４９に画面遷移させて、この地図検索画面４９に、市町村地図４８と共に受取コンビニ候補を列挙して各店舗名をリンク表示する。地図検索画面４９では、地図上で店舗位置を示す〇〇コンビニ会社のアイコンをクリックすれば、当該店舗の詳細情報が表示される。また、縮尺サイズを変えれば、それに応じて受取指定住所Ａに最寄りの受取コンビニ候補の検索数が変化するようになっている。
【００３３】
その後、列挙された受取コンビニ候補の中から、希望の店舗名がクリックされると、例えば「〇〇コンビニ東新橋一丁目店」がクリックされると、制御装置２３は、当該店舗の市町村地図データを伴う詳細な店舗情報を、店舗コードを基に読み出し、図９に示す店舗決定画面５０に画面遷移させて「〇〇コンビニ東新橋一丁目店」の店舗情報５１を表示し、受取コンビニの決定を促す（Ｓ９）。そこで、店舗決定ボタン５２がクリックされると、注文者Ｙによる受取コンビニＣの指定を終える（Ｓ１０）。
【００３４】
受渡管理サーバ３では、注文者Ｙによって受取コンビニＣが指定されると、制御装置２３は、図示例では「〇〇コンビニ東新橋一丁目店」を受取指定代理店とし、この受取コンビニの指定情報を含む店舗情報５１を、通販業者Ｘの荷主サーバ１へ送信する（Ｓ１１）。受取コンビニの指定情報を受信した荷主サーバ１では、制御装置１１が受取指定コンビニを含む注文内容をユーザ端末２の表示部に表示させて、注文者Ｙに対して注文内容の確認を求める（Ｓ１２）。荷主サーバ１は、注文者Ｙから注文内容の最終確認を受けると（Ｓ１３）、その時点で注文を確定させる（Ｓ１４）。すると、注文確定後、制御装置１１は、受取指定住所Ａを含む注文データを、注文番号で識別して受注案件別の受注ファイル１３に登録し、受取指定コンビニの決定をユーザ端末２に送信して注文者Ｙに通知する一方（Ｓ１５）、運送業者Ｎの受渡管理サーバ３に注文品の出荷指示データを送信する（Ｓ１６）。運送業者Ｎでは、受渡管理サーバ３が出荷指示データを受信すると、注文品を出荷元から集荷して受取指定コンビニへ配送する運送手順に移行する一方（Ｓ１７）、コンビニ会社Ｒの店舗管理サーバ６に、送り状番号の他、受取指定コンビニの決定通知を含む注文品の納品データを送信する（Ｓ１８）。そこで、コンビニ会社Ｒでは、受取指定コンビニへの注文品の配達を待って注文者Ｙとの受渡しに備える。
【００３５】
一方、通販業者Ｘは、注文品の出荷指示の後に、注文品の受取期間や受取指定コンビニ（「〇〇コンビニ東新橋一丁目店」）や本人認証手続など、商品受渡しに必要な事項を、荷主サーバ１からユーザ端末２へ電子メールを使って通知する。他方、注文者Ｙは、受取期間までに受取指定コンビニに出向き、受取指定コンビニに備えた、例えば認証用端末に、事前に割り付けられた前記送り状番号を入力し、この送り状番号に基づいて本人認証を受ける。認証用端末は、記憶部に格納した登録送り状番号と、いま入力された送り状番号とを照合し、番号が一致したとき、受取人が注文者本人であると認証する。本人認証の後、注文品の「ＤＶＤ」は、受取代理店の「〇〇コンビニ東新橋一丁目店」にて、注文者本人である受取人に受け渡される。
【００３６】
ところで、運送業者Ｎでは、注文品を配送するとき、全国各地の集荷店・仕立店・継送店・配達店など各運送拠点を経て受取指定コンビニへの配達完了に至る、運送履歴データを、運送履歴管理サーバ５が各運送拠点の配送管理端末４…から注文品の運送履歴を収集して情報管理している。
【００３７】
そこで、上述した図示店舗受渡システムにおいて、運送業者Ｎは、注文者Ｙからユーザ端末２を使って注文品の運送履歴の照会を受けると、運送履歴管理サーバ５を使って運送履歴を注文者に回答して運送履歴照会に応えるようになっている。この運送履歴の照会・回答作用について、注文者Ｙのユーザ端末２と運送業者Ｎの運送履歴管理サーバ５の各制御装置の処理動作を中心に、図３に示す処理動作手順に従って以下に説明する。
【００３８】
先ず、注文者Ｙは、注文品の運送履歴を照会するときは、ユーザ端末２を使って運送業者Ｎの運送履歴管理サーバ５の運送履歴サイトにインターネットを介してアクセスし、前記送り状番号を入力する一方、運送履歴管理サーバ５は、送り状番号が入力されると（Ｐ１）、制御装置３５が運送履歴通知部３７を動作し、運送履歴データベース３６から、入力された送り状番号を基に、該当する運送履歴データを読み出し（Ｐ２）、注文品の運送履歴をユーザ端末２の表示部に表示させて注文者Ｙの照会に回答する（Ｐ３）。
【００３９】
ところで、上述した図示店舗受渡システムでは、注文者Ｙがユーザ端末２を使って運送業者Ｎの運送履歴管理サーバ５の運送履歴照会サイトに直接にアクセスし、運送業者Ｎから注文品の運送履歴を取得した。しかし、本発明では、注文者Ｙがユーザ端末２を使って通販業者Ｘの荷主サーバ１の運送履歴照会サイトにインターネットを介してアクセスし、運送業者Ｎが収集した注文品の運送履歴を通販業者Ｘから取得する構成にしてもよい。
【００４０】
その場合、通販業者Ｘの荷主サーバ１は、運送業者Ｎの運送履歴管理サーバ５から注文品の運送履歴データを予め収受し、該運送履歴データを送り状番号で識別して記憶する配送履歴マスタを、例えば記憶装置１０に備えた構成にする。また、荷主サーバ１には、プログラム８として、ユーザ端末２から送り状番号が入力されて運送履歴の照会を受けると、運送履歴回答画面を表示すると共に、配送履歴マスタから、入力された送り状番号を基に、該当する運送履歴データを読み出し、配送履歴回答画面に表示して注文者Ｙに回答する配送履歴回答部を、例えばメモリ９に備えた構成とする。
【００４１】
そこで、この他の実施形態では、図４に示すように、通販業者Ｘの荷主サーバ１には、運送業者Ｎの運送履歴管理サーバ５から、注文品の運送履歴データが定期的に送信され（Ｑ１）、運送履歴データを送り状番号で識別して配送履歴マスタに格納する（Ｑ２）。しかる後、注文者Ｙが注文品の運送履歴を照会するときは、ユーザ端末２を使って通販業者Ｘの荷主サーバ１の運送履歴照会サイトにインターネットを介してアクセスし、前記送り状番号を入力する一方、荷主サーバ１は、ユーザ端末２から送り状番号が入力されると（Ｑ３）、制御装置１１が配送履歴回答部を動作し、配送履歴マスタから、入力された送り状番号を基に、該当する運送履歴データを読み出し（Ｑ４）、注文品の運送履歴をユーザ端末２の表示部に表示して注文者Ｙの照会に回答する（Ｑ５）。
【００４２】
なお、上述した図示店舗受渡システムでは、注文者Ｙがユーザ端末２を使って通販業者Ｘの荷主サーバ１の運送履歴照会サイトにアクセスし、注文品の運送履歴を通販業者Ｘから直接的に取得した。しかし、本発明では、注文者Ｙがユーザ端末２を使って通販業者Ｘの荷主サーバ１の注文サイトにインターネットを介してアクセスすると、運送業者Ｎの運送履歴照会サイトにリンクして運送業者Ｎから注文品の運送履歴を間接的に取得する構成にしてもよい。
【００４３】
その場合、通販業者Ｘの荷主サーバ１には、プログラム８として、ユーザ端末２から前記送り状番号が入力されて運送履歴の照会を受けると、注文サイトから運送履歴管理サーバ５の運送履歴照会サイトにリンクさせて、運送履歴データベース３６から、入力された送り状番号を基に、該当する運送履歴データを読み出し、輸送履歴回答画面に表示してユーザ端末２に回答する輸送履歴回答部を、メモリ９に備えた構成とする。
【００４４】
そこで、この他の実施形態において、注文者Ｙが注文品の運送履歴を照会するときは、ユーザ端末２を使って通販業者Ｘの荷主サーバ１の注文サイトにインターネットを介してアクセスし、前記送り状番号を入力する一方、荷主サーバ１は、ユーザ端末２から送り状番号が入力されると、制御装置１１が輸送履歴回答部を動作し、注文サイトから運送履歴管理サーバ５の運送履歴照会サイトにリンクさせて、運送履歴データベース３６から、入力された送り状番号を基に該当する運送履歴データを読み出し、注文品の運送履歴をユーザ端末２の表示部に表示して注文者Ｙの照会に回答する。
【００４５】
ところで、上述した図示店舗受渡システムにおいて、運送業者Ｎの受渡管理サーバ３は、注文者Ｙが希望する受取指定住所を基準として、その受取指定住所に最寄りの受取コンビニＣを検索したが、これに限らず、例えば全国の、施設名又は住所・駅名・郵便番号・地図・住所一覧の検索条件の中から、任意の検索条件を選んで、同様に注文者Ｙが希望する受取指定住所に最寄りの受取コンビニＣを検索する構成にしてもよい。
【００４６】
そのため、この他の実施形態において、受渡管理サーバ３は、図１に示すように、記憶装置２２に検索条件データファイルを格納した検索条件マスタ２６を備え、検索条件マスタ２６は、検索条件データファイルとして、全国の、主な施設名ファイル・住所ファイル・駅名ファイル・郵便番号ファイル・住所一覧ファイル・地図ファイルを、随時、データ更新可能に記憶している。一方、受取店舗選定部３０は、店舗検索が選択されると、図１０に示す店舗検索トップ画面５５を出力し、店舗検索トップ画面５５において、全国の、施設名又は住所・駅名・郵便番号・住所一覧・地図の中から、検索条件の指定を促し、検索条件が指定されると、指定検索条件を基に、検索条件マスタ２６から受取指定住所に最寄りの受取代理店のコンビニＣを検索できるようにプログラムされている。
【００４７】
施設名ファイルは、東京タワーや国会議事堂などの、全国の主要施設の名称を検索用キーワードとしてファイルし、施設名をキーワードに、一致する受取指定住所に最寄りのコンビニＣが検索されるようになっている。住所ファイルは、都道府県・市町村段階の住所表示を検索用キーワードとしてファイルし、この住所表示をキーワードに、一致する受取指定住所に最寄りのコンビニＣが検索されるようになっている。駅名ファイルは、ＪＲ・私鉄・地下鉄など、各鉄道の駅名を検索用キーワードとしてファイルし、駅名をキーワードに、一致する受取指定住所に最寄りのコンビニＣが検索されるようになっている。郵便番号ファイルは、郵便番号を用キーワードとしてファイルし、郵便番号をキーに、該当する受取指定住所に最寄りのコンビニＣが検索されるようになっている。地図ファイルは、３層の階層構造で、上層は日本地図、中層は都道府県別の地図、下層は区分（例えば市町村、繁華街単位）の地図からなっている。住所一覧ファイルは、九州・四国・北海道などの地域名・都道府県名・市町村名・町域名・丁目数・番地数・号数の７階層に分け、それぞれを検索キーワードとしてファイルされている（図１６参照）。
【００４８】
さて、ここで任意の検索条件を選んで注文者Ｙが希望する受取指定住所に最寄りの受取コンビニＣを検索する場合、先ず、受渡管理サーバ３は、ユーザ端末２から注文データの入力があると、制御装置２３が店舗検索誘導部２９を動作し、荷主サーバ１の注文サイトにリンクさせて、図１０に示す店舗検索トップ画面５５を出力し、店舗検索トップ画面５５において、全国の、施設名又は住所・駅名・郵便番号・住所一覧・地図の中から、検索条件の指定を促す。
【００４９】
（１）そこで先ず、仮にクリックポイント５５ａをクリックし、検索条件として住所を選んで、入力ボックス５５ｂに受取指定住所の、例えば「東京都港区東新橋」を入力する。次いで、検索ボタン５６をクリックして受取指定住所Ａを基準とした店舗検索を選択する。受渡管理サーバ３は、店舗検索が選択されると、制御装置２３が受取店舗選定部３０を動作し、検索条件マスタ２６から、受取指定住所Ａをキーワードに、一致する受取指定住所に最寄りの受取コンビニＣを検索し、該当する受取コンビニ候補を割り出し、図１１に示すように、施設名／住所に基づく検索画面５７に画面遷移させて、住所キーワードに一致する住所の受取コンビニ候補の店舗名を２件リンク表示する。次いで、いずれか一方の店舗名をクリックすると、前述したと同様、制御装置２３は、図８に示すように、クリックされた店舗近郊の市町村地図４８を表示した地図検索画面４９に画面遷移し、地図検索画面４９において、市町村地図４８と共に受取コンビニ候補を列挙して各店舗名をリンク表示する。その後、列挙された受取コンビニ候補の中から、希望の店舗名、例えば「〇〇コンビニ東新橋一丁目店」をクリックすると、制御装置２３は、当該店舗の市町村地図データを伴った詳細な店舗情報を、店舗コードを基に読み出し、図９に示す店舗決定画面５０に画面遷移させて「〇〇コンビニ東新橋一丁目店」の店舗情報５１を表示し、受取コンビニの決定を促す。そこで、店舗決定ボタン５２がクリックされると、注文者Ｙによる受取コンビニＣの指定を終える。なお、検索条件として、東京タワーや国会議事堂などの施設名を指定し、受取指定住所に最寄りの受取代理店のコンビニを検索する場合も、同様の検索ステップを経て、受取コンビニＣが指定される。
【００５０】
（２）仮に検索条件として、図１２に示すように駅名を選び、駅名入力ボックス５５ｃに、例えば「新橋」と入力して検索キーワードを指定し、検索ボタン５８をクリックして駅名「新橋」を基準とした店舗検索を選択する。すると、受渡管理サーバ３は、制御装置２３が受取店舗選定部３０を動作し、検索条件マスタ２６から、駅名「新橋」を検索キーワードに、それに該当する駅名を検索し、図１３に示す駅名に基づく店舗検索画面５９に遷移させて、検索キーワードに一致する駅名一覧を住所付きでリンク表示する。次いで、希望の駅名、例えば「ＪＲ新橋駅」をクリックすると、前述したと同様、制御装置２３は、図８に示すように、クリックされた「ＪＲ新橋駅」近郊の市町村地図４８を表示した地図検索画面４９に画面遷移させ、この地図検索画面４９において、市町村地図４８と共に受取コンビニ候補を列挙して各店舗名をリンク表示する。その後、列挙された受取コンビニ候補の中から、希望の店舗名、例えば「〇〇コンビニ東新橋一丁目店」をクリックすると、制御装置２３は、当該店舗の市町村地図データを伴う詳細な店舗情報を、店舗コードを基に読み出し、図９に示す店舗決定画面５０に画面遷移させて「〇〇コンビニ東新橋一丁目店」の店舗情報５１を表示し、受取コンビニの決定を促す。そこで、店舗決定ボタン５２がクリックされると、注文者Ｙによる受取コンビニＣの指定を終える。
【００５１】
（３）仮に検索条件として、図１４に示すように郵便番号を選び、番号入力ボックス５５ｄに、例えば受取指定住所Ａの該当する郵便番号「１０５−００２１」を入力して検索キーワードを指定し、検索ボタン６０をクリックして郵便番号「１０５−００２１」を基準とした店舗検索を選択する。すると、受渡管理サーバ３は、制御装置２３が受取店舗選定部３０を動作し、検索条件マスタ２６から、郵便番号「１０５−００２１」を検索キーワードに、それに該当する住所に最寄りの受取コンビニＣを検索し、前述したと同様、制御装置２３は、図８に示すように、該当住所近郊の市町村地図４８を表示した地図検索画面４９に画面遷移させ、この地図検索画面４９において、市町村地図４８と共に受取コンビニ候補を列挙して各店舗名をリンク表示する。その後、列挙された受取コンビニ候補の中から、希望の店舗名、例えば「〇〇コンビニ東新橋一丁目店」をクリックすると、制御装置２３は、当該店舗の市町村地図データを伴う詳細な店舗情報を、店舗コードを基に読み出し、図９に示す店舗決定画面５０に画面遷移させて「〇〇コンビニ東新橋一丁目店」の店舗情報５１を表示し、受取コンビニの決定を促す。そこで、店舗決定ボタン５２がクリックされると、注文者Ｙによる受取コンビニＣの指定を終える。
【００５２】
（４）仮に検索条件として、図１５に示すように住所一覧を選び、リンク表示された地域名の中で、例えば「関東」をクリックし、住所一覧を検索条件とした店舗検索を選択する。すると、受渡管理サーバ３は、制御装置２３が受取店舗選定部３０を動作し、検索条件マスタ２６から、「関東」に該当する都道府県を割り出し、図１６（Ａ）に示すように、関東地方の都道府県名をリンク表示した都道府県選択画面６５に画面遷移させて都道府県名の選択を促し、そこで、「東京都」を選んでクリックすると、同図（Ｂ）に示すように、市町村名をリンク表示した市町村選択画面６６に画面遷移させて市町村名の選択を促し、そこで「港区」を選んでクリックすると、同図（Ｃ）に示すように、町域名をリンク表示した町域選択画面６７に画面遷移させて町域名の選択を促し、そこで「東新橋」を選んでクリックする。その後は、図示省略すが、丁目・番地・号をリンク表示した地番選択画面に、順次画面遷移させ、その都度、地番を選んでクリックする。すると、前述したと同様、制御装置２３は、図８に示すように、選んだ住所近郊の市町村地図４８を表示した地図検索画面４９に画面遷移させ、この地図検索画面４９において、市町村地図４８と共に受取コンビニ候補を列挙して各店舗名をリンク表示する。その後、列挙された受取コンビニ候補の中から、希望の店舗名、例えば「〇〇コンビニ東新橋一丁目店」をクリックすると、制御装置２３は、当該店舗の市町村地図データを伴う詳細な店舗情報を、店舗コードを基に読み出し、図９に示す店舗決定画面５０に画面遷移させて「〇〇コンビニ東新橋一丁目店」の店舗情報５１を表示し、受取コンビニの決定を促す。そこで、店舗決定ボタン５２がクリックされると、注文者Ｙによる受取コンビニＣの指定を終える。
【００５３】
（５）最後に、仮に検索条件として、図１０に示す店舗検索トップ画面５５で地図検索を選ぶ場合は、都道府県地図画面７０にリンク表示された都道府県名の、例えば「東京」をクリックし、地図を検索条件として指定した店舗検索を選択する。すると、受渡管理サーバ３は、制御装置２３が受取店舗選定部３０を動作し、検索条件マスタ２６から、「東京」をキーワードに、該当する地町村選択地図を割り出し、図１７に示すように、東京都の市町村名をリンク表示した市町村地図７５に画面遷移させて、区を含む市町村名の選択を促す。そこで「港区」を選んでクリックすると、受渡管理サーバ３は、制御装置２３が受取店舗選定部３０を動作し、検索条件マスタ２６から、「港区」をキーワードに、該当する住所に最寄りの受取コンビニＣを検索し、前述したと同様、制御装置２３は、図８に示すように、港区近郊の市町村地図４８を表示した地図検索画面４９に画面遷移させ、この地図検索画面４９において、市町村地図４８と共に受取コンビニ候補を列挙して各店舗名をリンク表示する。その後、リンク表示の受取コンビニ候補の中から、希望の店舗名、例えば「〇〇コンビニ東新橋一丁目店」をクリックすると、制御装置２３は、当該店舗の市町村地図データを伴う詳細な店舗情報を、店舗コードを基に読み出し、図９に示す店舗決定画面５０に画面遷移させて「〇〇コンビニ東新橋一丁目店」の店舗情報５１を表示し、受取コンビニの決定を促す。そこで、店舗決定ボタン５２がクリックされると、注文者Ｙによる受取コンビニＣの指定を終える。
【図面の簡単な説明】
【００５４】
【図１】本発明の通販商品店舗受渡システムの全体システム構成と主要サーバの内部構成を示すブロック図である。
【図２】荷主サーバとユーザ端末および受渡管理サーバによる注文者が指定する受取コンビニの店舗検索処理動作を説明するフローチャートである。
【図３】ユーザ端末および運送履歴管理サーバによる運送履歴照会処理動作を説明するフローチャートである。
【図４】ユーザ端末と荷主サーバおよび運送履歴管理サーバによる運送履歴照会処理動作を説明するフローチャートである。
【図５】受取指定住所を入力する注文画面の画面構成図である。
【図６】受取指定住所から最寄りの受取コンビニを検索するとき、受取指定住所が自動表示される店舗検索画面の画面構成図である。
【図７】検索結果の受取コンビニ候補を表示する店舗検索画面の画面構成図である。
【図８】検索結果の受取コンビニ候補を列挙して地町村地図と共に表示する地図検索画面の画面構成図である。
【図９】指定された受取コンビニを市町村地図と店舗情報と共に表示する店舗決定画面の画面構成図である。
【図１０】任意に検索条件を選択して受取指定住所に最寄りの受取コンビニを検索するための店舗検索トップ画面の画面構成図である。
【図１１】任意住所を検索条件として検索された受取コンビニ候補を表示する施設名／住所に基づく店舗検索画面の画面構成図である。
【図１２】駅名を検索条件として選択する場合の店舗検索トップ画面の画面構成図である。
【図１３】駅名を検索条件として検索された受取コンビニ候補を表示する駅名に基づく店舗検索画面の画面構成図である。
【図１４】郵便番号を検索条件として選択する場合の店舗検索トップ画面の画面構成図である。
【図１５】住所一覧を検索条件として選択する場合の店舗検索トップ画面の画面構成図である。
【図１６】（Ａ）は住所一覧を検索条件として受取コンビニを検索する場合に表示される都道府県選択画面、（Ｂ）は市町村選択画面、（Ｃ）は町域選択画面の画面構成図である。
【図１７】地図を検索条件として受取コンビニを検索する場合に表示される市町村選択地図画面の画面構成図である。
【符号の説明】
【００５５】
Ａ              受取指定住所
Ｃ              コンビニ
Ｎ              運送業者
Ｓ              コンビニ会社の店舗センタ
Ｒ              コンビニ会社
Ｘ              通販業者
Ｙ              注文者
１              荷主サーバ
２              ユーザ端末
３              受渡管理サーバ
４              配送管理端末
５              運送履歴管理サーバ
６              店舗管理サーバ
７              ストア端末
１２            送り状番号データファイル
１３            受注ファイル
１４            番号割付部
１５            住所登録移送部
２５            店舗マスタ
２６            検索条件マスタ
２９            店舗検索誘導部
３０            受取店舗選定部
３６            運送履歴データベース
３７            運送履歴通知部
４５            店舗検索画面
【図１】
0005096963.tif 000002
【図２】
0005096963.tif 000003
【図３】
0005096963.tif 000004
【図４】
0005096963.tif 000005
【図５】
0005096963.tif 000006
【図６】
0005096963.tif 000007
【図７】
0005096963.tif 000008
【図８】
0005096963.tif 000009
【図９】
0005096963.tif 000010
【図１０】
0005096963.tif 000011
【図１１】
0005096963.tif 000012
【図１２】
0005096963.tif 000013
【図１３】
0005096963.tif 000014
【図１４】
0005096963.tif 000015
【図１５】
0005096963.tif 000016
【図１６】
0005096963.tif 000017
【図１７】
0005096963.tif 000018